(57)【特許請求の範囲】
【請求項１】
移動機との無線通信を制御する無線通信制御部と、
１以上の周波数バンドの測定を指示するための測定指示を前記移動機に通知し、前記移動機から前記測定された１以上の周波数バンドに関するメジャメントレポートを取得するメジャメントレポート取得部と、
前記測定指示を通知すると共に起動される、前記移動機からの前記メジャメントレポートの受信期間を計時するメジャメントレポート受信待ちタイマを管理するタイマ管理部と、
を有する基地局であって、
前記タイマ管理部は、前記測定指示に係る移動機と１以上の周波数バンドとの一方又は双方に基づき、前記メジャメントレポート受信待ちタイマのタイマ値を設定する基地局。
【請求項２】
前記タイマ管理部は、前記移動機の種別に応じて前記メジャメントレポート受信待ちタイマのタイマ値を設定する、請求項１記載の基地局。
【請求項３】
前記タイマ管理部は、当該基地局の上位レイヤから取得した前記移動機の移動機種別情報に基づき前記移動機の種別を判定し、前記判定した種別から前記測定指示に係る測定時間と送信時間とを決定し、前記決定した測定時間と送信時間とに応じて前記メジャメントレポート受信待ちタイマのタイマ値を設定する、請求項２記載の基地局。
【請求項４】
前記タイマ管理部は、前記移動機の能力に応じて前記メジャメントレポート受信待ちタイマのタイマ値を設定する、請求項１記載の基地局。
【請求項５】
前記タイマ管理部は、前記移動機から取得した前記移動機の移動機能力情報に基づき前記移動機の能力を判定し、前記判定した能力から前記移動機の対応周波数バンドのバンド数を決定し、前記決定したバンド数に応じて前記メジャメントレポート受信待ちタイマのタイマ値を設定する、請求項４記載の基地局。
【請求項６】
前記タイマ管理部は、前記測定指示に係る周波数バンドのバンド数に応じて前記メジャメントレポート受信待ちタイマのタイマ値を設定する、請求項１記載の基地局。
【請求項７】
前記タイマ管理部は、前記移動機から前記バンド数に対応するメジャメントレポートを受信すると、前記メジャメントレポート受信待ちタイマを満了させる、請求項６記載の基地局。
【請求項８】
前記メジャメントレポート受信待ちタイマが満了すると、前記無線通信制御部は、前記取得したメジャメントレポートに基づき前記移動機に対してバンド分散又はキャリアアグリゲーション制御を実行する、請求項１乃至７何れか一項記載の基地局。
【請求項９】
基地局により実行される無線通信制御方法であって、
１以上の周波数バンドの測定を指示するための測定指示を移動機に通知するステップと、
前記測定指示を通知すると共に、前記移動機からのメジャメントレポートの受信期間を計時するメジャメントレポート受信待ちタイマを起動するステップと、
前記移動機から前記測定された１以上の周波数バンドに関するメジャメントレポートを取得するステップと、
前記メジャメントレポート受信待ちタイマの満了までに受信したメジャメントレポートに基づき前記移動機のためのバンド分散又はキャリアアグリゲーション制御を実行するステップと、
を有し、
前記メジャメントレポート受信待ちタイマのタイマ値は、前記測定指示に係る移動機と１以上の周波数バンドとの一方又は双方に基づき設定される無線通信制御方法。
【発明の詳細な説明】
【技術分野】
【０００１】
本発明は、無線通信システムに関する。
【背景技術】
【０００２】
ＬＴＥ（Ｌｏｎｇ  Ｔｅｒｍ  Ｅｖｏｌｕｔｉｏｎ）システムでは、移動機を適切なセルに在圏させるためのバンド分散が利用されている。さらに、ＬＴＥ−Ａｄｖａｎｃｅｄシステムでは、複数の周波数バンドを用いて移動機と通信するためのキャリアアグリゲーション（ＣＡ）制御が導入される。バンド分散やＣＡ制御では、基地局（ｅｖｏｌｖｅｄ  ＮｏｄｅＢ：ｅＮＢ）が移動機（Ｕｓｅｒ  Ｅｑｕｉｐｍｅｎｔ：ＵＥ）に１以上の周波数バンドを測定するよう指示し、当該移動機から各周波数バンドの品質に関する測定結果を取得する。基地局は、取得した各周波数バンドの測定結果に基づき、バンド分散において移動機が在圏すべきセルを決定したり、あるいは、ＣＡ制御において移動機に追加的なセカンダリセルを設定する。
【０００３】
ＬＴＥシステム又はＬＴＥ−Ａｄｖａｎｃｅｄシステムにおける発着信時のバンド分散処理では、図１に示されるように、基地局は、メジャメントギャップを起動することによって、バンド分散のためセルの品質を測定するよう移動機に指示すると、測定結果に関するメジャメントレポートの受信期間を計時するメジャメントレポート受信待ちタイマ（Ｔ＿Ｃ＿ＭｅａＲｅｐＥａ４）を起動する。当該タイマの満了までに移動機から取得したメジャメントレポート（８００Ｍ、１．５Ｇ、１．７Ｇ周波数バンドの各測定結果）に基づき、基地局は、当該移動機に対してバンド分散を実行する。
【０００４】
また、ＬＴＥシステム又はＬＴＥ−Ａｄｖａｎｃｅｄシステムにおける発着信時のセカンダリセル（Ｓｃｅｌｌ）追加処理では、図２に示されるように、基地局は、同様にメジャメントギャップを起動することによって、Ｓｃｅｌｌ追加のためセルの品質を測定するよう移動機に指示すると、メジャメントレポート受信待ちタイマ（Ｔ＿Ｃ＿ＭｅａＲｅｐＥａ４）を起動する。当該タイマの満了までに移動機から取得したメジャメントレポート（１．５Ｇ、１．７Ｇ周波数バンドの各測定結果）に基づき、基地局は、当該移動機に対してセカンダリセルを追加するためのＣＡ制御を実行する。
【先行技術文献】
【非特許文献】
【０００５】
【非特許文献１】３ＧＰＰ  ＴＳ３６．１３３  Ｖ１２．５．０（２０１４−０９）
【発明の概要】
【発明が解決しようとする課題】
【０００６】
ＬＴＥ規格では、移動機が周波数バンド又はキャリアを測定し、測定結果に関するメジャメントレポートを報告するための最大時間が規定されている。具体的には、移動機が１つのキャリアを測定するための測定時間は３８４０ｍｓ以内となるよう規定され、移動機が当該測定結果に関するメジャメントレポートを基地局に送信するための送信時間は４８０ｍｓ以内となるよう規定されている。すなわち、移動機が１つのキャリアを測定してメジャメントレポートを送信するための報告時間（＝測定時間＋送信時間）は、４３２０ｍｓ（＝３８４０ｍｓ＋４８０ｍｓ）以内となるよう規定されている。また、２つのキャリアについては、移動機は８６４０ｍｓ（＝４３２０ｍｓ×２）以内に基地局にメジャメントレポートを報告することが規定され、３つのキャリアについては、移動機は１２９６０ｍｓ（＝４３２０ｍｓ×３）以内に基地局にメジャメントレポートを報告することが規定されている。
【０００７】
一方、基地局において用いられるメジャメントレポート受信待ちタイマは、固定的な値に設定されている。このため、移動機のメジャメントレポートの実際の報告時間が現状規定されている固定的な時間より短い場合、あるいは、基地局の運用周波数が少ない場合、移動機からメジャメントレポートが送信されてからメジャメントレポート受信待ちタイマが満了するまでの時間が長くなると予測される。その間はメジャメントギャップが起動し続けることになり、不要な待機によりスループットが低下する。さらに、メジャメントレポート受信待ちタイマの満了までは、基地局はバンド分散やＣＡ制御を実行せず、移動機はスループットの向上が期待される周波数バンドを利用することができない。他方、移動機のメジャメントレポートの実際の報告時間が現状規定されている固定的な時間より長い場合、あるいは、基地局の運用周波数が多い場合、基地局は、メジャメントレポート受信待ちタイマの満了までに移動機から測定対象の全ての周波数バンドに関するメジャメントレポートを取得することができない可能性がある。この場合、基地局は、スループットの向上が最も期待される周波数バンドへのバンド分散やＣＡ制御を実行することができなくなる可能性がある。
【０００８】
現状のＬＴＥシステムでは、メジャメントレポート受信待ちタイマの値は、移動機による測定時間及び送信時間を考慮して、上述した報告時間の上限より長くなるよう設定されている。
【０００９】
上述した問題点を鑑み、本発明の課題は、メジャメントレポート受信待ちタイマを適切な値に設定するための技術を提供することである。
【課題を解決するための手段】
【００１０】
上記課題を解決するため、本発明の一態様は、移動機との無線通信を制御する無線通信制御部と、１以上の周波数バンドの測定を指示するための測定指示を前記移動機に通知し、前記移動機から前記測定された１以上の周波数バンドに関するメジャメントレポートを取得するメジャメントレポート取得部と、前記移動機からの前記メジャメントレポートの受信期間を計時するメジャメントレポート受信待ちタイマを管理するタイマ管理部とを有する基地局であって、前記タイマ管理部は、前記測定指示に係る移動機と１以上の周波数バンドとの一方又は双方に基づき、前記メジャメントレポート受信待ちタイマのタイマ値を設定する基地局に関する。
【００１１】
本発明の他の態様は、基地局により実行される無線通信制御方法であって、１以上の周波数バンドの測定を指示するための測定指示を移動機に通知するステップと、前記移動機からのメジャメントレポートの受信期間を計時するメジャメントレポート受信待ちタイマを起動するステップと、前記移動機から前記測定された１以上の周波数バンドに関するメジャメントレポートを取得するステップと、前記メジャメントレポート受信待ちタイマの満了までに受信したメジャメントレポートに基づき前記移動機のためのバンド分散又はキャリアアグリゲーション制御を実行するステップとを有し、前記メジャメントレポート受信待ちタイマのタイマ値は、前記測定指示に係る移動機と１以上の周波数バンドとの一方又は双方に基づき設定される無線通信制御方法に関する。
【発明の効果】
【００１２】
本発明によると、メジャメントレポート受信待ちタイマを適切な値に設定することができる。
【図面の簡単な説明】
【００１３】
【図１】図１は、従来技術による発着信時のバンド分散処理を示すシーケンス図である。
【図２】図２は、従来技術による発着信時のセカンダリセルの追加処理を示すシーケンス図である。
【図３】図３は、本発明の一実施例による無線通信システムを示す概略図である。
【図４】図４は、本発明の一実施例による基地局の構成を示すブロック図である。
【図５】図５は、本発明の一実施例によるメジャメントレポート待ちタイマの設定処理を示すフロー図である。
【図６】図６は、本発明の一実施例によるメジャメントレポート待ちタイマの設定処理を示すフロー図である。
【図７】図７は、本発明の一実施例によるメジャメントレポート待ちタイマの設定処理を示すフロー図である。
【図８】図８は、本発明の一実施例による無線通信制御処理を示すシーケンス図である。
【発明を実施するための形態】
【００１４】
以下、図面に基づいて本発明の実施の形態を説明する。
【００１５】
後述される実施例では、移動機から受信した１以上の周波数バンドに関するメジャメントレポートに基づき無線通信を制御する基地局が開示される。以下の実施例を概略すると、基地局は、１以上の周波数バンドを測定させるための測定指示を移動機に通知すると共に、当該移動機からのメジャメントレポートの受信期間を計時するメジャメントレポート受信待ちタイマを起動する。基地局は、当該測定指示に係る移動機及び１以上の周波数バンドの一方又は双方に基づきメジャメントレポート受信待ちタイマを設定し、メジャメントレポート受信待ちタイマの満了までに受信したメジャメントレポートに基づき移動機のためのバンド分散又はキャリアアグリゲーション制御を実行する。ここで、メジャメントレポート受信待ちタイマは、移動機の種別、移動機の能力、測定指示に係る周波数バンドのバンド数又はこれらの何れかの組み合わせに基づき設定される。
【００１６】
これにより、メジャメントレポート受信待ちタイマが固定的な値に設定される場合と比較して、測定対象の移動機及び周波数バンドに適したタイマ値にメジャメントレポート受信待ちタイマを設定し、迅速なバンド分散及びキャリアアグリゲーション制御を実現することによって、スループット及びセル間のロードバランシングを向上させることが可能になる。
【００１７】
まず、図３を参照して、本発明の一実施例による無線通信システムを説明する。図３は、本発明の一実施例による無線通信システムを示す概略図である。
【００１８】
図３に示されるように、無線通信システム１０は、基地局１００Ａ，１００Ｂ（以降において、基地局１００と総称する）、移動機２００及びＭＭＥ（Ｍｏｂｉｌｉｔｙ  Ｍａｎａｇｅｍｅｎｔ  Ｅｎｔｉｔｙ）３００を有する。
【００１９】
基地局１００は、１以上のセルを提供し、当該セルを介し移動機２００と無線通信する。図示された実施例では、基地局１００Ａは互いに異なる周波数帯のＡ１セル、Ａ２セル及びＡ３セルの３つのセルを提供し、隣接する基地局１００Ｂは互いに異なる周波数帯のＢ１セル及びＢ２セルの２つのセルを提供する。また、基地局１００Ａ，１００Ｂは、相互接続され、Ｘ２インタフェースを介し通信する。図示された実施例では、移動機２００は、基地局１００ＡのＡ１セルに在圏する。
【００２０】
基地局１００Ａは、発着信時、通信中、終話時などの何れかのタイミングで他の１以上のセルＡ２，Ａ３，Ｂ１，Ｂ２の品質を測定させるためメジャメントギャップを起動するよう移動機２００に指示し、移動機２００から各セルの測定結果に関するメジャメントレポートを取得する。以下で詳細に説明するように、基地局１００Ａは、メジャメントレポート待ちタイマに設定された期間内に移動機２００から取得したメジャメントレポートに基づき、移動機２００を他のセルに遷移又はハンドオーバさせるか（バンド分散）、あるいは移動機２００に追加的なセカンダリセルを設定する（ＣＡ制御）。
【００２１】
基地局１００は、典型的には、コアネットワーク（図示せず）と通信するための通信インタフェース、コアネットワークと移動機２００との間の無線通信を制御するためのプロセッサ、メモリ、回路などのハードウェアリソースにより構成される。後述される基地局１００の各機能及び処理は、メモリに格納されているデータやプログラムをプロセッサが処理又は実行することによって実現されてもよい。しかしながら、基地局１００は、上述したハードウェア構成に限定されず、他の何れか適切なハードウェア構成を有してもよい。
【００２２】
移動機２００は、複数の周波数バンドにより基地局１００と通信可能なマルチバンド機能をサポートする。さらに、移動機２００は、複数のセルを同時に用いて１以上の基地局１００と通信するキャリアアグリゲーション機能をサポートしてもよい。移動機２００は、マルチバンド機能及び／又はキャリアアグリゲーション機能を用いて基地局１００により提供される１以上のセルを利用して基地局１００と無線通信する。移動機２００は、スマートフォン、携帯電話、タブレット、ウェアラブル端末などの無線通信機能を備えた何れか適切な情報処理装置であり、基地局１００と無線接続することによって、無線通信システム１０により提供される各種通信サービスを利用する。
【００２３】
ＭＭＥ３００は、無線通信システム１０における基地局１００の上位レイヤ又はコアネットワークの１つのノードとして設けられ、移動機２００の位置登録や基地局間ハンドオーバなどの移動機２００の無線通信を管理する。ＭＭＥ３００は、基地局１００と相互接続され、移動機２００の種別やユーザ情報などの移動機２００に関する各種情報を基地局１００に提供する。
【００２４】
次に、図４〜７を参照して、本発明の一実施例による基地局を説明する。図４は、本発明の一実施例による基地局の構成を示すブロック図である。
【００２５】
図４に示されるように、基地局１００は、無線通信制御部１１０、メジャメントレポート取得部１２０及びタイマ管理部１３０を有する。
【００２６】
無線通信制御部１１０は、移動機２００との無線通信を制御する。具体的には、無線通信制御部１１０は、セルを介し移動機２００との間で各種制御信号及びデータ信号を送受信すると共に、移動機２００から取得したメジャメントレポートに基づき移動機２００に対してバンド分散又はキャリアアグリゲーション制御を実行する。例えば、無線通信制御部１１０は、移動機２００を適切なセルに遷移させたり（バンド分散）、あるいは、移動機２００に追加的なセカンダリセルを設定する（キャリアアグリゲーション制御）。
【００２７】
メジャメントレポート取得部１２０は、１以上の周波数バンドの測定を指示するための測定指示を移動機２００に通知し、移動機２００から測定された１以上の周波数バンドに関するメジャメントレポートを取得する。具体的には、メジャメントレポート取得部１２０は、発着信時、通信中、終話時などの何れかのタイミングで、指定した１以上の周波数バンドの品質を測定させるため、移動機２００にメジャメントギャップを起動するよう指示する。その後、メジャメントレポート取得部１２０は、メジャメントギャップを起動した移動機２００から、指定した１以上の周波数バンドの品質を示すＲＳＲＰ（Ｒｅｆｅｒｅｎｃｅ  Ｓｉｇｎａｌ  Ｒｅｃｅｉｖｅｄ  Ｐｏｗｅｒ）やＲＳＲＱ（Ｒｅｆｅｒｅｎｃｅ  Ｓｉｇｎａｌ  Ｒｅｃｅｉｖｅｄ  Ｑｕａｌｉｔｙ）などの測定結果をメジャメントレポートとして受信する。メジャメントレポート取得部１２０は取得したメジャメントレポートを無線通信制御部１１０に提供する。メジャメントレポート受信待ちタイマが満了すると、無線通信制御部１１０は、取得したメジャメントレポートに基づき移動機２００に対してバンド分散又はキャリアアグリゲーション制御を実行する。
【００２８】
タイマ管理部１３０は、移動機２００からのメジャメントレポートの受信期間を計時するメジャメントレポート受信待ちタイマを管理すると共に、測定指示に係る移動機２００と１以上の周波数バンドとの一方又は双方に基づき、メジャメントレポート受信待ちタイマのタイマ値を設定する。メジャメントレポート受信待ちタイマは、固定的な値に設定されているが、本実施例では、メジャメントギャップを起動した移動機２００及び／又はメジャメントギャップにおいて測定対象として指示された周波数バンドに応じて可変的な値に設定される。
【００２９】
一実施例では、タイマ管理部１３０は、移動機２００の種別に応じてメジャメントレポート受信待ちタイマのタイマ値を設定してもよい。一般に、移動機２００による周波数バンドの報告に要する報告時間（＝測定時間＋送信時間）は、移動機２００の種別、特に移動機２００に搭載されている通信チップの実力又は性能やＩＭＥＩＳＶ（Ｉｎｔｅｒｎａｔｉｏｎａｌ  Ｍｏｂｉｌｅ  Ｓｔａｔｉｏｎ  Ｅｑｕｉｐｍｅｎｔ  Ｉｄｅｎｔｉｔｙ  ａｎｄ  Ｓｏｆｔｗａｒｅ  Ｖｅｒｓｉｏｎ  Ｎｕｍｂｅｒ）に依拠することが知られている。このため、タイマ管理部１３０は、相対的に高い性能の移動機２００に対しては相対的に短い報告時間でメジャメントレポートを受信できると予測し、メジャメントレポート受信待ちタイマを相対的に小さなタイマ値に設定してもよい。他方、タイマ管理部１３０は、相対的に低い性能の移動機２００に対しては相対的に長い報告時間でメジャメントレポートを取得すると予測し、メジャメントレポート受信待ちタイマを相対的に大きなタイマ値に設定してもよい。
【００３０】
具体的には、タイマ管理部１３０は、基地局１００の上位レイヤから取得した移動機２００の移動機種別情報に基づき移動機２００の種別を判定し、判定した種別から測定指示に係る測定時間と送信時間とを決定し、決定した測定時間と送信時間とに応じてメジャメントレポート受信待ちタイマのタイマ値を設定してもよい。例えば、当該上位レイヤはＭＭＥ３００であり、タイマ管理部１３０は、ＭＭＥ３００から移動機２００の種別を示す移動機種別情報を取得してもよい。この場合、タイマ管理部１３０は、受信した移動機種別情報から移動機２００に搭載される通信チップの種別やＩＭＥＩＳＶなどの移動機２００の種別を判定し、判定した種別から移動機２００の実力又は性能を推定する。このように推定した移動機２００の実力又は性能やＩＭＥＩＳＶに基づき、タイマ管理部１３０は、移動機２００に対する測定指示を実現するのに要する移動機２００の測定時間と送信時間とを決定し、決定した測定時間と送信時間とに応じてメジャメントレポート受信待ちタイマのタイマ値を設定する。
【００３１】
例えば、移動機２００の実力又は性能が複数の実力値により示される場合、タイマ管理部１３０は、図５に示されるような処理フローによりメジャメントレポート受信待ちタイマを設定してもよい。図５に示されるように、タイマ管理部１３０は、移動機２００の移動機種別情報をＭＭＥ３００から取得すると、ステップＳ１０１において、取得した移動機種別情報に基づき移動機２００の実力値Ｘを判別する。例えば、タイマ管理部１３０は、移動機２００の各種別と実力値Ｘとの対応関係を示すテーブルなどを予め保持し、当該テーブルを参照して受信した移動機種別情報に対応する実力値Ｘを決定してもよい。
【００３２】
移動機２００の実力値ＸがＡ秒である場合（Ｘ＝Ａ）、タイマ管理部１３０は、ステップＳ１０２において、メジャメントレポート受信待ちタイマを所定の第１タイマ値（Ｔ＿Ｃ＿ＭｅａＲｅｐＥａ４＿ａ）に設定する。
【００３３】
他方、移動機２００の実力値ＸがＢ（＞Ａ）秒である場合（Ｘ＝Ｂ）、タイマ管理部１３０は、ステップＳ１０３において、メジャメントレポート受信待ちタイマを第１タイマ値より大きな所定の第２タイマ値（Ｔ＿Ｃ＿ＭｅａＲｅｐＥａ４＿ｂ）に設定する。
【００３４】
他方、移動機２００の実力値ＸがＣ（＞Ｂ）秒である場合（Ｘ＝Ｃ）、タイマ管理部１３０は、ステップＳ１０４において、メジャメントレポート受信待ちタイマを第２タイマ値より大きな所定の第３タイマ値（Ｔ＿Ｃ＿ＭｅａＲｅｐＥａ４＿ｃ）に設定する。
【００３５】
他方、移動機２００の実力値ＸがＡ，Ｂ，Ｃ以外の場合、タイマ管理部１３０は、ステップＳ１０５において、メジャメントレポート受信待ちタイマを所定のデフォルトタイマ値（Ｔ＿Ｃ＿ＭｅａＲｅｐＥａ４＿ｄｅｆａｕｌｔ）に設定する。
【００３６】
このようにして、タイマ管理部１３０は、移動機２００の種別に応じて、移動機２００の実力又は性能に適したメジャメントレポート受信待ちタイマのタイマ値を設定することができる。
【００３７】
一実施例では、タイマ管理部１３０は、移動機２００の能力に応じてメジャメントレポート受信待ちタイマのタイマ値を設定してもよい。マルチバンド機能を有する移動機２００は、複数の周波数バンドを介し基地局１００と通信可能である。上述したように、移動機２００による周波数バンドの報告に要する報告時間（＝測定時間＋送信時間）は、移動機２００が測定する周波数バンドのバンド数に依拠する。このため、タイマ管理部１３０は、移動機２００の能力、特に移動機２００が対応可能な周波数バンドや対応可能な周波数バンドのバンド数に応じてメジャメントレポート受信待ちタイマのタイマ値を設定してもよい。例えば、タイマ管理部１３０は、対応可能な周波数バンドが相対的に少ない移動機２００に対しては相対的に短い報告時間でメジャメントレポートを受信できると予測し、メジャメントレポート受信待ちタイマを相対的に小さなタイマ値に設定してもよい。他方、タイマ管理部１３０は、対応可能な周波数バンドが相対的に多い移動機２００に対しては相対的に長い報告時間でメジャメントレポートを取得すると予測し、メジャメントレポート受信待ちタイマを相対的に大きなタイマ値に設定してもよい。
【００３８】
具体的には、タイマ管理部１３０は、移動機２００から取得した移動機２００の移動機能力情報に基づき移動機２００の能力を判定し、判定した能力から移動機２００の対応可能な周波数バンドや対応周波数バンドのバンド数を決定し、決定した周波数バンドやバンド数に応じてメジャメントレポート受信待ちタイマのタイマ値を設定してもよい。例えば、タイマ管理部１３０は、移動機２００から移動機２００の能力を示す移動機能力情報（ＵＥ  Ｃａｐａｂｉｌｉｔｙ）を取得してもよい。この場合、タイマ管理部１３０は、受信した移動機能力情報から移動機２００がサポートする周波数バンドなどの移動機２００の能力を判定し、判定した能力から移動機２００の対応可能な周波数バンドのバンド数を決定する。タイマ管理部１３０は、決定した移動機２００の対応可能な周波数バンドや対応可能な周波数バンドのバンド数に応じてメジャメントレポート受信待ちタイマのタイマ値を設定する。
【００３９】
例えば、移動機２００の対応可能な周波数バンドが１〜４個である場合、タイマ管理部１３０は、図６に示されるような処理フローによりメジャメントレポート受信待ちタイマを設定してもよい。図６に示されるように、タイマ管理部１３０は、移動機２００の移動機能力情報を移動機２００から取得すると、ステップＳ２０１において、タイマ管理部１３０は、移動機２００がマルチバンド機能を有しているか、すなわち、複数の周波数バンドをサポートしているか判定する。移動機２００がマルチバンド機能を有する場合（Ｓ２０１：Ｙｅｓ）、タイマ管理部１３０は、ステップＳ２０２に移行し、移動機２００の対応可能な周波数バンドのバンド数Ｘを判別する。他方、移動機２００がマルチバンド機能を有さない場合（Ｓ２０１：Ｎｏ）、タイマ管理部１３０は、メジャメントレポートの受信待ちをせず、ステップＳ２０３においてメジャメントレポート受信待ちタイマを設定しない。
【００４０】
移動機２００の対応可能な周波数バンドが２個である場合（Ｘ＝２）、タイマ管理部１３０は、ステップＳ２０４において、メジャメントレポート受信待ちタイマを所定の第１タイマ値（Ｔ＿Ｃ＿ＭｅａＲｅｐＥａ４＿１ｂａｎｄ，ｕｅ）に設定する。
【００４１】
他方、移動機２００の対応可能な周波数バンドが３個である場合（Ｘ＝３）、タイマ管理部１３０は、ステップＳ２０５において、メジャメントレポート受信待ちタイマを第１タイマ値より大きい所定の第２タイマ値（Ｔ＿Ｃ＿ＭｅａＲｅｐＥａ４＿２ｂａｎｄ，ｕｅ）に設定する。
【００４２】
他方、移動機２００の対応可能な周波数バンドが４個である場合（Ｘ＝４）、タイマ管理部１３０は、ステップＳ２０６において、メジャメントレポート受信待ちタイマを第２タイマ値より大きい所定の第３タイマ値（Ｔ＿Ｃ＿ＭｅａＲｅｐＥａ４＿３ｂａｎｄ，ｕｅ）に設定する。
【００４３】
このようにして、タイマ管理部１３０は、移動機２００の能力に応じて、移動機２００の対応可能な周波数バンド数に適したメジャメントレポート受信待ちタイマのタイマ値を設定することができる。
【００４４】
一実施例では、タイマ管理部１３０は、測定指示に係る周波数バンドのバンド数に応じてメジャメントレポート受信待ちタイマのタイマ値を設定してもよい。移動機２００に測定及び報告させる周波数バンドは、基地局１００の運用条件や輻輳状況に応じて指定される。例えば、基地局１００が移動機２００により対応可能な周波数バンドの一部に対応するセルしか運用していない場合、メジャメントレポート取得部１２０は、当該一部の周波数バンドに関するメジャメントレポートしか必要としないかもしれない。また、基地局１００の特定のセルが輻輳している場合、無線通信制御部１１０は輻輳したセルに移動機２００を遷移させることや輻輳したセルを追加的なセカンダリセルとして設定することは所望せず、メジャメントレポート取得部１２０は当該輻輳したセル以外のセルに関するメジャメントレポートしか必要としないかもしれない。このため、メジャメントレポート取得部１２０は、基地局１００の運用条件や輻輳状況に応じて、測定指示において測定対象となる周波数バンドを指定する。上述したように、移動機２００による周波数バンドの報告に要する報告時間（＝測定時間＋送信時間）は、移動機２００が測定する周波数バンドのバンド数に依拠する。このため、タイマ管理部１３０は、測定指示において指定された測定対象の周波数バンドのバンド数に応じてメジャメントレポート受信待ちタイマのタイマ値を設定してもよい。具体的には、タイマ管理部１３０は、メジャメントレポート取得部１２０によって移動機２００に通知された測定指示の測定対象のオーバレイセル又はアドオンセルのバンド数に応じてタイマ値を設定してもよい。ここで、オーバレイセルはバンド分散の候補となるセルであり、アドオンセルはＣＡ制御において追加されるセカンダリセルの候補となるセルである。
【００４５】
このため、一例として、タイマ管理部１３０は、測定対象の周波数バンドの各バンド数に対応したタイマ値を予め設定してもよい。例えば、１つの周波数バンドが測定指示において指定される場合、タイマ管理部１３０は、メジャメントレポート受信待ちタイマを所定の１バンド用のタイマ値に設定してもよい。同様に、Ｘ個の周波数バンドが測定指示において指定される場合、タイマ管理部１３０は、メジャメントレポート受信待ちタイマを所定のＸバンド用のタイマ値に設定してもよい。
【００４６】
他の例として、タイマ管理部１３０は、１バンド用のタイマ値などの基準タイマ値を予め設定し、測定対象の周波数バンドのバンド数Ｘに当該基準タイマ値を掛け合わせ、算出したタイマ値にメジャメントレポート受信待ちタイマを設定してもよい。
【００４７】
ここで、タイマ管理部１３０は、移動機２００からバンド数に対応するメジャメントレポートを受信すると、メジャメントレポート受信待ちタイマを満了させてもよい。すなわち、メジャメントレポート取得部１２０が、メジャメントレポート受信待ちタイマの満了前に測定指示で指定した全ての周波数バンドに関するメジャメントレポートを受信すると、タイマ管理部１３０は、メジャメントレポート受信待ちタイマを満了させ、メジャメントギャップの起動状態から移動機２００を早期に離脱させてもよい。これにより、無線通信制御部１１０は、メジャメントレポート受信待ちタイマに設定されたタイマ値の経過を待機することなく、移動機２００に対してバンド分散やキャリアアグリゲーション制御を迅速に実施することが可能になる。
【００４８】
例えば、基地局１００が運用している周波数バンドが３バンドである場合、タイマ管理部１３０は、図７に示されるような処理フローによりメジャメントレポート受信待ちタイマを設定してもよい。図７に示されるように、タイマ管理部１３０は、ステップＳ３０１において、移動機２００に対する測定指示において指定される周波数バンドのバンド数Ｘを判別する。
【００４９】
１つの周波数バンドが測定指示において指定される場合（Ｘ＝１）、タイマ管理部１３０は、ステップＳ３０２において、メジャメントレポート受信待ちタイマを所定の第１タイマ値（Ｔ＿Ｃ＿ＭｅａＲｅｐＥａ４＿１ｂａｎｄ，ｃｅｌｌ）に設定する。
【００５０】
他方、２つの周波数バンドが測定指示において指定される場合（Ｘ＝２）、タイマ管理部１３０は、ステップＳ３０３において、メジャメントレポート受信待ちタイマを第１タイマ値より大きい所定の第２タイマ値（Ｔ＿Ｃ＿ＭｅａＲｅｐＥａ４＿２ｂａｎｄ，ｃｅｌｌ）に設定する。
【００５１】
他方、３つの周波数バンドが測定指示において指定される場合（Ｘ＝３）、タイマ管理部１３０は、ステップＳ３０４において、メジャメントレポート受信待ちタイマを第２タイマ値より大きい所定の第３タイマ値（Ｔ＿Ｃ＿ＭｅａＲｅｐＥａ４＿３ｂａｎｄ，ｃｅｌｌ）に設定する。
【００５２】
メジャメントレポート取得部１２０が、メジャメントレポート受信待ちタイマの満了までに、測定指示において指定したＸ個の周波数バンドに関するメジャメントレポートを受信すると、タイマ管理部１３０は、ステップＳ３０５において、メジャメントレポート受信待ちタイマを満了させる。メジャメントレポート受信待ちタイマが満了すると、無線通信制御部１１０は、取得したメジャメントレポートに基づき移動機２００に対してバンド分散又はキャリアアグリゲーション制御を実行する。
【００５３】
このようにして、タイマ管理部１３０は、測定指示において指定される周波数バンドのバンド数に応じて、当該周波数バンド数に適したメジャメントレポート受信待ちタイマのタイマ値を設定することができる。
【００５４】
なお、図５〜７を参照して説明したタイマ管理部１３０によるメジャメントレポート受信待ちタイマの各種設定処理は、必ずしも個別に実行される必要はなく、組み合わせて実行されてもよい。すなわち、タイマ管理部１３０は、測定指示に係る移動機２００と１以上の周波数バンドとの双方に基づき、メジャメントレポート受信待ちタイマのタイマ値を設定してもよい。例えば、タイマ管理部１３０は、移動機２００の種別、移動機２００の能力及び測定指示に係る周波数バンドのバンド数の２以上に応じてメジャメントレポート受信待ちタイマのタイマ値を設定してもよい。
【００５５】
次に、図８を参照して、本発明の一実施例による基地局における無線通信制御処理を説明する。図８は、本発明の一実施例による無線通信制御処理を示すシーケンス図である。
【００５６】
図８に示されるように、基地局１００は、ステップＳ４０１において、ＭＭＥ３００からＩｎｉｔｉａｌ  Ｃｏｎｔｅｘｔ  Ｓｅｔｕｐ  Ｒｅｑｕｅｓｔを受信する。
【００５７】
ステップＳ４０２において、基地局１００は、当該Ｉｎｉｔｉａｌ  Ｃｏｎｔｅｘｔ  Ｓｅｔｕｐ  ＲｅｑｕｅｓｔのＵＥ  Ｂｉｔｍａｐ  Ｉｎｆｏｒｍａｔｉｏｎなどに示される移動機種別情報に基づき移動機２００の種別を判定し、判定した種別に応じてメジャメントレポート受信待ちタイマのタイマ値を設定する。また、基地局１００は、運用周波数バンドや輻輳状況を確認し、測定対象となる周波数バンドを指定した移動機２００に対する測定指示を生成する。
【００５８】
ステップＳ４０３において、基地局１００は、移動機２００にメジャメントギャップを起動するよう指示する。
【００５９】
ステップＳ４０４，４０５において、基地局１００は、Ｓｅｃｕｒｉｔｙ  Ｍｏｄｅ  Ｃｏｍｍａｎｄ及びＲＲＣ  Ｃｏｎｎｅｃｔｉｏｎ  Ｒｅｃｏｎｆｉｇｕｒａｔｉｏｎを送信することによって、移動機２００に測定指示を通知する。
【００６０】
ステップＳ４０６，４０７において、移動機２００は、Ｓｅｃｕｒｉｔｙ  Ｍｏｄｅ  Ｃｏｍｐｌｅｔｅ及びＲＲＣ  Ｃｏｎｎｅｃｔｉｏｎ  Ｒｅｃｏｎｆｉｇｕｒａｔｉｏｎ  Ｃｏｍｐｌｅｔｅにより応答すると共に、メジャメントギャップにおいて指定された周波数バンドの品質を測定する。
【００６１】
ステップＳ４０８において、基地局１００は、ＭＭＥ３００にＩｎｉｔｉａｌ  Ｃｏｎｔｅｘｔ  Ｓｅｔｕｐ  Ｒｅｓｐｏｎｓｅにより応答する。
【００６２】
ステップＳ４０９において、ステップＳ４０２において設定されたタイマ値によるメジャメントレポート受信待ちタイマを起動する。
【００６３】
ステップＳ４１０において、基地局１００は、移動機２００からメジャメントレポートを受信する。
【００６４】
ステップＳ４１１において、メジャメントレポート受信待ちタイマが満了するか、又は測定指示において指定した周波数バンドに関する全てのメジャメントレポートを受信した場合、基地局１００は、ステップＳ４１２において、取得したメジャメントレポートに基づき移動機２００に対するバンド分散又はキャリアアグリゲーション制御を実行する。
【００６５】
以上、本発明の実施例について詳述したが、本発明は上述した特定の実施形態に限定されるものではなく、特許請求の範囲に記載された本発明の要旨の範囲内において、種々の変形・変更が可能である。
【符号の説明】
【００６６】
１０  無線通信システム
１００  基地局
１１０  無線通信制御部
１２０  メジャメントレポート取得部
１３０  タイマ管理部
２００  移動機
３００  ＭＭＥ
【図１】
0006422744.tif 000002
【図２】
0006422744.tif 000003
【図３】
0006422744.tif 000004
【図４】
0006422744.tif 000005
【図５】
0006422744.tif 000006
【図６】
0006422744.tif 000007
【図７】
0006422744.tif 000008
【図８】
0006422744.tif 000009